(57)【要約】【課題】立ち上がった状態にあるモニタをより安定的に保持できるディスプレイ装置を提供すること。【解決手段】ディスプレイ装置１００は、フレーム１と、ガイド部材２と、ガイド部材２に沿って往復動可能なスライダ３と、第１軸Ａ１の回りで回動可能にスライダ３に取り付けられるモニタ４と、第２軸Ａ２の回りで回動可能にスライダ３に取り付けられる第１リンク部材５と、第３軸Ａ３の回りで回動可能にモニタ４に取り付けられる第２リンク部材６と、第４軸Ａ４の動きを案内する案内部材８と、案内部材８に取り付けられたストッパ部材８Ｓとを有する。第１リンク部材５と第２リンク部材６は第４軸Ａ４の回りで回動可能に連結される。ストッパ部材８Ｓは、第２リンク部材６と接触し、スライダ３を＋Ｘ方向に移動させようとする力Ｆ１を、第１軸Ａ１の回りでモニタ４を立ち上がり方向に回動させようとするトルクＴＲ２に変換する。【選択図】図９
2018132702.tif 000002
【特許請求の範囲】
【請求項１】
フレームと、
前記フレームに固定されたガイド部材と、
第１方向に延びる前記ガイド部材に沿って往復動可能なスライダと、
第１軸の回りで回動可能に前記スライダに取り付けられるモニタと、
第２軸の回りで回動可能に前記スライダに取り付けられる第１リンク部材と、
第３軸の回りで回動可能に前記モニタに取り付けられる第２リンク部材と、
第４軸を構成する軸部材と、
前記フレームに固定され且つ前記軸部材の動きを案内する案内部材と、
前記フレーム又は前記案内部材に取り付けられたストッパ部材と、を有し、
前記第１リンク部材と前記第２リンク部材は、前記第４軸の回りで互いに回動可能に連結され、
前記第１軸、前記第２軸、前記第３軸及び前記第４軸は何れも前記第１方向に垂直な第２方向に延び且つ互いに平行であり、
前記ストッパ部材は、前記第１リンク部材及び前記第２リンク部材の少なくとも一方と接触し、前記スライダを前記第１方向に移動させようとする力を、前記第１軸の回りで前記モニタを立ち上がり方向に回動させようとするトルクに変換するように構成されている、
ディスプレイ装置。
【請求項２】
前記ストッパ部材は、前記第２リンク部材と接触し、前記スライダを前記第１方向に移動させようとする力を、前記第４軸の回りで前記第２リンク部材を回動させようとするトルクに変換し、該トルクが、前記第１軸の回りで前記モニタを立ち上がり方向に回動させようとするトルクをもたらすように構成されている、
請求項１に記載のディスプレイ装置。
【請求項３】
前記ストッパ部材は、前記第１方向に対して傾斜する第１傾斜面を有し、
前記第２リンク部材は、前記第１傾斜面に対応する第２傾斜面を有する、
請求項２に記載のディスプレイ装置。
【請求項４】
前記ストッパ部材は、前記第１リンク部材と接触し、前記スライダを前記第１方向に移動させようとする力を、前記第２軸の回りで前記第１リンク部材を回動させようとするトルクに変換し、該トルクが、前記第２リンク部材を後方に移動させようとする力をもたらし、更に、前記第１軸の回りで前記モニタを立ち上がり方向に回動させようとするトルクをもたらすように構成されている、
請求項１に記載のディスプレイ装置。
【請求項５】
前記ストッパ部材は、前記第１方向に対して傾斜する第１傾斜面を有し、
前記第１リンク部材は、前記第１傾斜面に対応する第２傾斜面を有する、
請求項４に記載のディスプレイ装置。
【請求項６】
前記モニタは、回動停止部を有し、
前記スライダが往復動端の前端に位置するときに、前記スライダは、前記回動停止部と接触して前記第１軸の回りにおける前記モニタの回動を停止させるように構成されている、
請求項１乃至５の何れか一項に記載のディスプレイ装置。
【発明の詳細な説明】
【技術分野】
【０００１】
本発明は、モニタの立ち上げ・収納が可能なディスプレイ装置に関する。
【背景技術】
【０００２】
従来、モニタを横倒しにして筐体内に収納した状態と、画面が視認されるようにモニタを立ち上げた状態とを切り換えることができるモータ駆動式の機構を備えた車載モニタ装置が知られている（特許文献１参照。）。
【０００３】
この機構は、モニタの背面に固定され且つその背面から垂直に延びる案内部材と、案内部材に取り付けられた２つのカムフォロアと、２つのカムフォロアのそれぞれと係合する２つのカム溝が形成された溝カム（筐体）とを含む。そして、２つのカムフォロアのそれぞれがカム溝の前端に押し付けられたときにモニタの立ち上がりが完了するように構成されている。
【先行技術文献】
【特許文献】
【０００４】
【特許文献１】特許第４８３４１５４号明細書
【発明の概要】
【発明が解決しようとする課題】
【０００５】
しかしながら、上述の機構は、モニタが立ち上がった状態で、モニタの揺動を抑制できず、モニタをガタつかせてしまうおそれがある。カムフォロアがカム溝の前端から離れる方向に移動するのを抑制できないためである。
【０００６】
上述に鑑み、立ち上がった状態にあるモニタをより安定的に保持できるディスプレイ装置を提供することが望まれる。
【課題を解決するための手段】
【０００７】
本発明の実施形態によるディスプレイ装置は、フレームと、前記フレームに固定されたガイド部材と、第１方向に延びる前記ガイド部材に沿って往復動可能なスライダと、第１軸の回りで回動可能に前記スライダに取り付けられるモニタと、第２軸の回りで回動可能に前記スライダに取り付けられる第１リンク部材と、第３軸の回りで回動可能に前記モニタに取り付けられる第２リンク部材と、第４軸を構成する軸部材と、前記フレームに固定され且つ前記軸部材の動きを案内する案内部材と、前記フレーム又は前記案内部材に取り付けられたストッパ部材と、を有し、前記第１リンク部材と前記第２リンク部材は、前記第４軸の回りで互いに回動可能に連結され、前記第１軸、前記第２軸、前記第３軸及び前記第４軸は何れも前記第１方向に垂直な第２方向に延び且つ互いに平行であり、前記ストッパ部材は、前記第１リンク部材及び前記第２リンク部材の少なくとも一方と接触し、前記スライダを前記第１方向に移動させようとする力を、前記第１軸の回りで前記モニタを立ち上がり方向に回動させようとするトルクに変換するように構成されている。
【０００８】
この構成により、ディスプレイ装置は、モニタが立ち上がり完了状態にある場合には、モニタを前方に回動させようとするトルクが生じたときであっても、そのトルクを、モニタを立ち上がり方向に回動させようとするトルクで相殺できる。そのため、ディスプレイ装置は、立ち上がった状態にあるモニタのガタつきを抑制し或いは防止してモニタをより安定的に保持できる。また、各軸のガタつきを抑制し或いは防止できる。
【０００９】
ストッパ部材は、第２リンク部材と接触し、スライダを第１方向に移動させようとする力を、第４軸の回りで第２リンク部材を回動させようとするトルクに変換し、そのトルクが、第１軸の回りでモニタを立ち上がり方向に回動させようとするトルクをもたらすように構成されていてもよい。この場合、ストッパ部材は、第１方向に対して傾斜する第１傾斜面を有し、第２リンク部材は、第１傾斜面に対応する第２傾斜面を有していてもよい。
【００１０】
この構成により、ディスプレイ装置は、スライダを第１方向に移動させようとする力に基づき、第４軸の回りで第２リンク部材を回動させようとするトルクを生成できる。すなわち、第３軸を介してモニタに直接連結されている第２リンク部材を回動させようとするトルクを生成できる。そのため、モニタを立ち上がり方向に回動させようとするトルクを確実に生成できる。
【００１１】
或いは、ストッパ部材は、第１リンク部材と接触し、スライダを第１方向に移動させようとする力を、第２軸の回りで第１リンク部材を回動させようとするトルクに変換し、そのトルクが、第２リンク部材を後方に移動させようとする力をもたらし、更に、第１軸の回りでモニタを立ち上がり方向に回動させようとするトルクをもたらすように構成されていてもよい。この場合、ストッパ部材は、第１方向に対して傾斜する第１傾斜面を有し、第１リンク部材は、第１傾斜面に対応する第２傾斜面を有していてもよい。
【００１２】
この構成により、ディスプレイ装置は、スライダを第１方向に移動させようとする力に基づき、第２軸の回りで第１リンク部材を回動させようとするトルクを生成できる。すなわち、第４軸を介して第２リンク部材に直接連結されている第１リンク部材を回動させようとするトルクを生成できる。そして、第２軸の回りで第１リンク部材を回動させようとするトルクに基づき、第３軸を介してモニタに直接連結されている第２リンク部材を回動させようとするトルクを生成できる。すなわち、第３軸を介してモニタに直接連結されている第２リンク部材を回動させようとするトルクを生成できる。そのため、ディスプレイ装置は、ストッパ部材を第２リンク部材に接触させることができないような場合であっても、モニタを立ち上がり方向に回動させようとするトルクを確実に生成できる。
【００１３】
モニタは回動停止部を有していてもよい。この場合、スライダが往復動端の前端に位置するときに、スライダは、回動停止部と接触して第１軸の回りにおけるモニタの回動を停止させるように構成されていてもよい。
【００１４】
この構成により、ディスプレイ装置は、モニタが立ち上がり完了状態にある場合には、立ち上がり方向へのモニタの更なる回動をより確実に抑制し或いは防止できる。そのため、モニタの前後方向における揺動をより確実に抑制し或いは防止できる。
【発明の効果】
【００１５】
上述の手段により、立ち上がった状態にあるモニタをより安定的に保持できるディスプレイ装置を提供できる。
【図面の簡単な説明】
【００１６】
【図１】ディスプレイ装置の上面斜視図である。
【図２】ディスプレイ装置の底面斜視図である。
【図３】図１の領域ＩＩＩの拡大図である。
【図４】モニタの動きを示すディスプレイ装置の側面図である。
【図５】モニタが収納完了状態にあるときのディスプレイ装置の側面図である。
【図６】モニタが立ち上がり完了状態にあるときのディスプレイ装置の側面図である。
【図７】ディスプレイ装置の上面斜視図である。
【図８】モニタが立ち上がり完了状態にあるときの案内部材と第２リンク部材の斜視図である。
【図９】モニタが立ち上がり完了状態にあるときのディスプレイ装置の側面図である。
【図１０】モニタが立ち上がり完了状態にあるときのディスプレイ装置の側面図である。
【発明を実施するための形態】
【００１７】
図１〜図３は、本発明の一実施形態に係るディスプレイ装置１００の概略図である。具体的には、図１はディスプレイ装置１００の上面斜視図であり、図２はディスプレイ装置１００の底面斜視図である。図３は図１の領域ＩＩＩの拡大図である。本書では、便宜上、ディスプレイ装置１００の正面側を＋Ｘ側とし、背面側を−Ｚ側とする。また、ディスプレイ装置１００の正面を＋Ｘ側から見たときの上側、下側、左側、右側をそれぞれ＋Ｚ側、−Ｚ側、＋Ｙ側、−Ｙ側とする。
【００１８】
ディスプレイ装置１００は、例えば、車両に搭載される。ディスプレイ装置１００は、主に、フレーム１、ガイド部材２、スライダ３、モニタ４、第１リンク部材５、第２リンク部材６、軸部材７、案内部材８、スライダ駆動機構９等を含む。
【００１９】
フレーム１は、ディスプレイ装置１００の筐体を構成する。フレーム１は、金属、プラスチック等で形成された底面板１Ｂ、前面板１Ｆ、及び背面板１Ｒを含む。図２及び図３は、明瞭化のため、底面板１Ｂの図示を省略している。
【００２０】
ガイド部材２は、スライダ３の往復動をガイドする。本実施形態では、ガイド部材２は、金属、プラスチック等で形成された棒部材であり、フレーム１に固定されている。具体的には、前面板１Ｆと背面板１Ｒとの間で第１方向（Ｘ軸方向）に延びるように配置されている。ガイド部材２は、左右一対で構成され、左ガイド部材２Ｌ及び右ガイド部材２Ｒを含む。左ガイド部材２Ｌ及び右ガイド部材２Ｒは第１方向に沿って互いに平行に延びる。ガイド部材２は、底面板に取り付けられたレールであってもよい。
【００２１】
スライダ３は、ガイド部材２に沿って往復動する。本実施形態では、スライダ３は、軸受けを介してガイド部材２に支持されている。そのため、ガイド部材２上を滑らかに摺動可能である。スライダ３は、スライダ駆動機構９によって第１方向に往復動させられる。
【００２２】
モニタ４は、画像を表示する装置である。本実施形態では、薄型の液晶モニタである。プラズマモニタ、有機ＥＬモニタ等であってもよい。モニタ４は、第１軸Ａ１の回りで回動可能にスライダ３に取り付けられている。第１軸Ａ１は、モニタ４の近位端部（下端部）４ｐに配置されている。また、第１軸Ａ１は、スライダ３の前端（＋Ｘ側端）で且つ上端（＋Ｚ側端）に配置されている。図１の例では、下端部４ｐから後方（−Ｘ方向）にモニタアーム４Ｍが延びている。モニタアーム４Ｍは、モニタ４の筐体と一体的に形成されている。但し、別体として形成されてモニタ４の筐体に回動不能に固定されていてもよい。モニタアーム４Ｍは、左右一対で構成され、左モニタアーム４ＭＬ及び右モニタアーム４ＭＲを含む。図１の例では、右モニタアーム４ＭＲは左モニタアーム４ＭＬよりも長い。
【００２３】
第１リンク部材５は、スライダ３に回動可能に取り付けられている。本実施形態では、第１リンク部材５は、金属、プラスチック等で形成され、第２軸Ａ２の回りで回動可能にスライダ３に取り付けられている。第２軸Ａ２は、第１リンク部材５の後端（−Ｘ側端）に配置されている。また、第２軸Ａ２は、スライダ３の後端（−Ｘ側端）で且つ上端（＋Ｚ側端）に配置されている。第１リンク部材５は、左右一対で構成され、左第１リンク部材５Ｌ及び右第１リンク部材５Ｒを含む。
【００２４】
第２リンク部材６は、モニタ４に回動可能に取り付けられている。本実施形態では、第２リンク部材６は、金属、プラスチック等で形成され、第３軸Ａ３の回りで回動可能にモニタアーム４Ｍに取り付けられている。第３軸Ａ３は、第２リンク部材６の前端（＋Ｘ側端）に配置されている。また、モニタアーム４Ｍの遠位端に配置されている。
【００２５】
具体的には、第２リンク部材６は、左右一対で構成され、左第２リンク部材６Ｌ及び右第２リンク部材６Ｒを含む。左第２リンク部材６Ｌの前端（＋Ｘ側端）は、左第３軸Ａ３Ｌの回りで回動可能に左モニタアーム４ＭＬに取り付けられ、右第２リンク部材６Ｒの前端（＋Ｘ側端）は、右第３軸Ａ３Ｒの回りで回動可能に右モニタアーム４ＭＲに取り付けられている。左第３軸Ａ３Ｌは、左モニタアーム４ＭＬの遠位端に配置され、右第３軸Ａ３Ｒは、右モニタアーム４ＭＲの遠位端に配置されている。図１の例では、右第２リンク部材６Ｒは左第２リンク部材６Ｌよりも長い。すなわち、右第３軸Ａ３Ｒと右第４軸Ａ４Ｒとの距離が左第３軸Ａ３Ｌと左第４軸Ａ４Ｌとの距離より大きい。右モニタアーム４ＭＲが左モニタアーム４ＭＬよりも長いため、すなわち、右第３軸Ａ３Ｒと第１軸Ａ１との距離が左第３軸Ａ３Ｌと第１軸Ａ１との距離より大きいためである。
【００２６】
軸部材７は、第４軸Ａ４を構成する。案内部材８は、軸部材７の動きを案内する。本実施形態では、軸部材７は、金属、プラスチック等で形成されたカムフォロアであり、案内部材８は、軸部材７であるカムフォロアを受け入れるカム溝８Ｇを備えた溝カムである。溝カムは、金属、プラスチック等で形成された板状部材であり、第１方向に延びるようにフレーム１に固定されている。軸部材７は、左右一対で構成され、左軸部材７Ｌ及び右軸部材７Ｒを含む。同様に、案内部材８は、左右一対で構成され、左案内部材８Ｌ及び右案内部材８Ｒを含む。なお、本実施形態では、軸部材７をカムフォロアとしたが、軸部材７から少し離れた位置にピン等を配置してそれをカムフォロアとし、軸部材７の動きを間接的に案内するようにしてもよい。
【００２７】
案内部材８は、カム溝８Ｇの代わりにレールを備えていてもよい。その場合、軸部材７は、レールに沿って移動できるレールフォロアとして構成される。
【００２８】
第１リンク部材５と第２リンク部材６は、第４軸Ａ４の回りで互いに回動可能に連結されている。具体的には、右第１リンク部材５Ｒの前端（＋Ｘ側端）と右第２リンク部材６Ｒの後端（−Ｘ側端）は、右第４軸Ａ４Ｒの回りで互いに回動可能に連結されている。また、左第１リンク部材５Ｌの前端（＋Ｘ側端）と左第２リンク部材６Ｌの後端（−Ｘ側端）は、左第４軸Ａ４Ｌの回りで互いに回動可能に連結されている。
【００２９】
スライダ駆動機構９は、スライダ３を往復動させる。本実施形態では、スライダ駆動機構９は、電動モータ９ａ、ギア９ｂ及びレバー９ｃを含む。
【００３０】
第１軸Ａ１、第２軸Ａ２、第３軸Ａ３及び第４軸Ａ４は何れも第１方向（Ｘ軸方向）に垂直な第２方向（Ｙ軸方向）に延び且つ互いに平行である。モニタアーム４Ｍの長さが不変であるため、第１軸Ａ１と第３軸Ａ３との距離は不変である。第１リンク部材５の長さが不変であるため、第２軸Ａ２と第４軸Ａ４との距離は不変である。また、第２リンク部材６の長さが不変であるため、第３軸Ａ３と第４軸Ａ４との距離は不変である。
【００３１】
第１軸Ａ１、第２軸Ａ２、第３軸Ａ３及び第４軸Ａ４は、回転支点として機能するものであればよく、例えば、ピン結合の軸、ヒンジ結合の軸等を含む。
【００３２】
次に、図４を参照し、収納完了状態のモニタ４を立ち上がり完了状態にするときのディスプレイ装置１００の動きについて説明する。図４は、ディスプレイ装置１００の側面図である。図４は、明瞭化のため、フレーム１、モニタ４、第１リンク部材５、第２リンク部材６及び案内部材８以外の構成要素の図示を省略している。また、左案内部材８Ｌのカム溝８ＧＬを点線で示している。図４（Ａ）は、モニタ４が横伏状態のうちの収納完了状態にあるときのディスプレイ装置１００の状態を示す。図４（Ｂ）は、モニタ４が横伏状態のうちの並進状態にあるときのディスプレイ装置１００の状態を示す。図４（Ｃ）は、モニタ４が回動状態のときのディスプレイ装置１００の状態を示す。図４（Ｄ）は、モニタ４が立ち上がり完了状態にあるときのディスプレイ装置１００の状態を示す。横伏状態は、例えば、モニタ４の表示面が第１方向に沿って延びている状態を意味する。並進状態は、モニタ４が横伏状態のまま直線的に第１方向に移動している状態を意味する。回動状態は、横伏状態と立ち上がり完了状態との間の中間状態を意味する。
【００３３】
図４に示すように、第１軸Ａ１及び第２軸Ａ２は、スライダ３と共に＋Ｘ方向に並行移動する。そのため、第１軸Ａ１及び第２軸Ａ２の高さは、図４（Ａ）〜図４（Ｄ）を通じて不変である。
【００３４】
一方、第４軸Ａ４の高さは、スライダ３が＋Ｘ方向に進むにつれて変化する。第４軸Ａ４が配置されている軸部材７が案内部材８のカム溝８Ｇに沿って移動するためである。具体的には、右第４軸Ａ４Ｒが配置されている右軸部材７Ｒは、右案内部材８Ｒのカム溝８ＧＲに沿って移動するためであり、左第４軸Ａ４Ｌを定める左軸部材７Ｌは、左案内部材８Ｌのカム溝８ＧＬに沿って移動するためである。図４の例では、第４軸Ａ４の高さは、スライダ３が＋Ｘ方向に進むにつれて低くなる。図４（Ａ）の状態では、右第４軸Ａ４Ｒは、右案内部材８Ｒのカム溝８ＧＲの案内端である後端（−Ｘ側端）に対応する位置で、且つ、最も高い位置にある。同様に、左第４軸Ａ４Ｌは、左案内部材８Ｌのカム溝８ＧＬの後端（−Ｘ側端）に対応する位置で、且つ、最も高い位置にある。
【００３５】
第３軸Ａ３の高さは、第４軸Ａ４の高さの変化に応じて変化する。第３軸Ａ３が配置されているモニタアーム４Ｍは、第１軸Ａ１回りに回動可能なためである。具体的には、図４（Ｂ）の状態から図４（Ｃ）の状態への推移の際に第４軸Ａ４がカム溝８Ｇに沿って下方（−Ｚ方向）に移動すると、第３軸Ａ３は上方（＋Ｚ方向）に移動する。＋Ｘ側に傾いていたモニタアーム４Ｍが、図４（Ｂ）の矢印ＡＲ１で示すように、時計回りに回動するためである。その後、図４（Ｃ）の状態から図４（Ｄ）の状態への推移の際に第４軸Ａ４がカム溝８Ｇに沿って更に下方（−Ｚ方向）に移動すると、第３軸Ａ３は下方（−Ｚ方向）に移動する。ほぼ真上に延びるモニタアーム４Ｍが、図４（Ｃ）の矢印ＡＲ２で示すように、更に時計回りに回動するためである。
【００３６】
モニタ４は、モニタアーム４Ｍが時計回りに回動するにつれて立ち上がり、図４（Ｄ）に示すように、第３軸Ａ３が第１軸Ａ１とほぼ同じ高さとなったときに立ち上がり完了状態となる。このとき、右第４軸Ａ４Ｒは、右案内部材８Ｒのカム溝８ＧＲの案内端である前端（＋Ｘ側端）に対応する位置で、且つ、最も低い位置にある。同様に、左第４軸Ａ４Ｌは、左案内部材８Ｌのカム溝８ＧＬの前端（＋Ｘ側端）に対応する位置で、且つ、最も低い位置にある。
【００３７】
このようにして、モニタ４は、収納完了状態から並進状態及び回動状態を経て立ち上がり完了状態に推移する。
【００３８】
なお、第３軸Ａ３が第１軸Ａ１から離れている程、すなわち、モニタアーム４Ｍが長い程、ディスプレイ装置１００は、より小さい力（スライダ３を移動させる力）でモニタ４を第１軸Ａ１回りに回動させることができる。モニタ４を回動させるトルクが大きくなるためである。これは、より小さい力でモニタ４の揺動を抑制し或いは防止できることを意味する。一方で、第３軸Ａ３が第１軸Ａ１に近い程、すなわち、モニタアーム４Ｍが短い程、ディスプレイ装置１００は、筐体を薄型化でき、且つ、立ち上がり完了状態にあるモニタ４とその背面側にある構造物との距離を短くすることができる。立ち上がり完了状態にあるモニタ４の背面側にある構造物は、例えば、ダッシュボード、エアコンのコントロールパネル又は吹き出し口等である。
【００３９】
次に、図５を参照し、モニタ４が収納完了状態にあるときの各軸の位置関係について説明する。図５は、ディスプレイ装置１００の側面図である。図５は、明瞭化のため、フレーム１、ガイド部材２、スライダ３、モニタ４、第１リンク部材５、第２リンク部材６及び案内部材８以外の構成要素の図示を省略している。図５（Ａ）は、第２軸Ａ２、左第３軸Ａ３Ｌ及び左第４軸Ａ４Ｌの位置関係を示すため、左案内部材８Ｌを半透明で示している。図５（Ｂ）は、第２軸Ａ２、右第３軸Ａ３Ｒ及び右第４軸Ａ４Ｒの位置関係を示すため、左第１リンク部材５Ｌ、左第２リンク部材６Ｌ及び左案内部材８Ｌの図示を省略している。以下の説明は、モニタ４が並進状態にあるときにも同様に適用される。
【００４０】
図５（Ａ）に示すように、スライダ３が往復動端の一方である後端（−Ｘ側端）に位置するとき、モニタ４は収納完了状態となる。このとき、左第１リンク部材５Ｌと左第２リンク部材６Ｌの連結点を通る左第４軸Ａ４Ｌは、左案内部材８Ｌのカム溝８ＧＬの後端（−Ｘ側端）に対応する位置にある。また、左第４軸Ａ４Ｌは、第２軸Ａ２と左第３軸Ａ３Ｌを含む平面Ｐ１上に位置する。すなわち、第２軸Ａ２、左第４軸Ａ４Ｌ及び左第３軸Ａ３Ｌは、側面視で一直線上に並び、第１軸Ａ１、第２軸Ａ２、左第３軸Ａ３Ｌ及び左第４軸Ａ４Ｌは側面視で三角形Ｔ１を形成する。左第３軸Ａ３Ｌは、左モニタアーム４ＭＬと左第２リンク部材６Ｌの連結点を通る。
【００４１】
この配置により、ディスプレイ装置１００は、収納完了状態にあるモニタ４の遠位端部４ｄの揺動を抑えることができる。収納完了状態にあるモニタ４の遠位端部４ｄの揺動は、例えば、車両の振動に起因する。
【００４２】
例えば、モニタ４の遠位端部４ｄが、矢印ＡＲ３で示すように、下方（−Ｚ方向）に移動しようとすると、左モニタアーム４ＭＬは、矢印ＡＲ４で示すように、第１軸Ａ１の回りで時計回りに回動しようとする。すなわち、第２軸Ａ２と左第３軸Ａ３Ｌとの間隔を大きくしようとする。しかしながら、左第４軸Ａ４Ｌが平面Ｐ１上にあるため、すなわち、三角形Ｔ１の１辺上にあるため、その間隔が大きくなることはない。したがって、遠位端部４ｄの下方への移動は抑制され或いは防止される。
【００４３】
また、モニタ４の遠位端部４ｄが、矢印ＡＲ５で示すように、上方（＋Ｚ方向）に移動しようとすると、左モニタアーム４ＭＬは、矢印ＡＲ６で示すように、第１軸Ａ１の回りで反時計回りに回動しようとする。すなわち、第２軸Ａ２と左第３軸Ａ３Ｌとの間隔を小さくしようとする。しかしながら、左第４軸Ａ４Ｌが平面Ｐ１上にあるため、すなわち、三角形Ｔ１の１辺上にあるため、また、カム溝８ＧＬに対応する位置にあるため、その間隔が小さくなることはない。左第４軸Ａ４Ｌの移動は、各軸の三角形配置によって制限されるため、また、カム溝８ＧＬによって制限されるためである。したがって、遠位端部４ｄの上方への移動は抑制され或いは防止される。
【００４４】
第２軸Ａ２、右第４軸Ａ４Ｒ及び右第３軸Ａ３Ｒの位置関係についても同様である。具体的には、図５（Ｂ）に示すように、スライダ３が往復動端の一方である後端（−Ｘ側端）に位置するとき、右第１リンク部材５Ｒと右第２リンク部材６Ｒの連結点を通る右第４軸Ａ４Ｒは、右案内部材８Ｒのカム溝８ＧＲの後端（−Ｘ側端）に対応する位置にある。また、右第４軸Ａ４Ｒは、第２軸Ａ２と右第３軸Ａ３Ｒを含む平面Ｐ１上に位置する。すなわち、第２軸Ａ２、右第４軸Ａ４Ｒ及び右第３軸Ａ３Ｒは、側面視で一直線上に並び、第１軸Ａ１、第２軸Ａ２、右第３軸Ａ３Ｒ及び右第４軸Ａ４Ｒは側面視で三角形Ｔ１を形成する。右第３軸Ａ３Ｒは、右モニタアーム４ＭＲと右第２リンク部材６Ｒの連結点を通る。
【００４５】
このように、ディスプレイ装置１００は、スライダ３が後端に位置するときに、第２軸Ａ２、第４軸Ａ４及び第３軸Ａ３が側面視で一直線上に並ぶようにすることで、モニタ４の遠位端部４ｄの揺動（上下動）を抑制し或いは防止できる。具体的には、第４軸Ａ４が平面Ｐ１上に位置しない状態、すなわち、第４軸Ａ４が平面Ｐ１に近づく方向に移動可能な状態を作り出してしまうのを防止できる。そのため、第２軸Ａ２と第３軸Ａ３との間隔が変化してモニタ４の遠位端部４ｄが上下動してしまうのを防止できる。
【００４６】
次に、図６を参照し、モニタ４が立ち上がり完了状態にあるときの各軸の位置関係について説明する。図６（Ａ）は、ディスプレイ装置１００の側面図である。図６（Ａ）は、明瞭化のため、フレーム１、ガイド部材２、スライダ３、モニタ４、第１リンク部材５、第２リンク部材６及び案内部材８以外の構成要素の図示を省略している。図６（Ａ）は、第１軸Ａ１、第２軸Ａ２、右第３軸Ａ３Ｒ及び右第４軸Ａ４Ｒの位置関係を示すため、右案内部材８Ｒを半透明で示している。図６（Ｂ）は、比較例における各軸の位置関係を示す。図６（Ｂ）は、各軸と各軸に作用する力及びトルクのみを示し、他の構成要素の図示を省略している。以下の説明は、第１軸Ａ１、第２軸Ａ２、左第３軸Ａ３Ｌ及び左第４軸Ａ４Ｌの位置関係についても同様に適用される。
【００４７】
図６（Ａ）に示すように、スライダ３が往復動端の他方である前端（＋Ｘ側端）に位置するとき、モニタ４は立ち上がり完了状態となる。このとき、右第１リンク部材５Ｒと右第２リンク部材６Ｒの連結点を通る右第４軸Ａ４Ｒは、右案内部材８Ｒのカム溝８ＧＲの前端（＋Ｘ側端）に対応する位置にある。また、右モニタアーム４ＭＲと右第２リンク部材６Ｒの連結点を通る右第３軸Ａ３Ｒは、第１軸Ａ１と右第４軸Ａ４Ｒを含む平面Ｐ２よりもモニタ４の遠位端部４ｄに近いところに位置する。すなわち、右第３軸Ａ３Ｒは、平面Ｐ２よりも上方（＋Ｚ方向）に位置する。
【００４８】
この配置により、ディスプレイ装置１００は、立ち上がり完了状態にあるモニタ４の遠位端部４ｄの揺動を抑えることができる。立ち上がり完了状態にあるモニタ４の遠位端部４ｄの揺動は、例えば、車両の振動、モニタ４の表面側に取り付けられたタッチパネル又はボタンの操作等に起因する。
【００４９】
例えば、モニタ４の遠位端部４ｄが、矢印ＡＲ７で示すように、前方（＋Ｘ方向）に移動しようとすると、右モニタアーム４ＭＲは、矢印ＡＲ８で示すように、第１軸Ａ１の回りで反時計回りに回動しようとする。すなわち、矢印ＡＲ９で示すように、右第４軸Ａ４Ｒを第１軸Ａ１側に引き付けようとする。しかしながら、右第４軸Ａ４Ｒがカム溝８ＧＲの前端（＋Ｘ側端）に対応する位置にあるため、右第４軸Ａ４Ｒが第１軸Ａ１側に引き付けられることはない。したがって、遠位端部４ｄの前方への移動は抑制され或いは防止される。
【００５０】
モニタ４が立ち上がり完了状態にあるときの右第４軸Ａ４Ｒの第１軸Ａ１側への移動は、後述の右ストッパ部材８ＳＲによって制限されてもよい。この場合、右第４軸Ａ４Ｒは、カム溝８ＧＲの前端（＋Ｘ側端）に対応する位置にある必要はない。
【００５１】
このように、ディスプレイ装置１００は、スライダ３が前端に位置するときに、第３軸Ａ３が平面Ｐ２よりもモニタ４の遠位端部４ｄに近いところに位置するように構成することで、遠位端部４ｄの揺動を抑制し或いは防止できる。具体的には、図６（Ｂ）の比較例に示すように、平面Ｐ２よりもモニタ４の遠位端部４ｄから遠いところに右第３軸Ａ３Ｒが位置する構成、すなわち、平面Ｐ２よりも下方（−Ｚ方向）に右第３軸Ａ３Ｒが位置する構成がもたらされてしまうのを防止できる。
【００５２】
図６（Ｂ）に示す比較例の構成では、モニタ４の遠位端部４ｄが前方（＋Ｘ方向）に移動しようとすると、右モニタアーム４ＭＲは、矢印ＡＲ８'で示すように、第１軸Ａ１の回りで反時計回りに回動しようとする。すなわち、矢印ＡＲ９'で示すように、右第４軸Ａ４Ｒを第１軸Ａ１から遠ざけようとする。第４軸Ａ４は、＋Ｘ方向には移動できないが、−Ｘ方向には移動できる。＋Ｘ方向への動きはカム溝８ＧＲによって制限されるが、−Ｘ方向への動きはカム溝８ＧＲによって制限されないためである。そのため、比較例の構成は、遠位端部４ｄの前方（＋Ｘ方向）への移動を抑制できない。ディスプレイ装置１００は、右第３軸Ａ３Ｒを平面Ｐ２よりも上方（＋Ｚ方向）に配置することで、このような問題を解決している。
【００５３】
次に、図７を参照し、立ち上がり完了状態にあるモニタ４の遠位端部４ｄの後方（−Ｘ方向）への移動を抑制するための構成について説明する。図７は、ディスプレイ装置１００の上面斜視図である。
【００５４】
図７に示すように、モニタ４は、モニタアーム４Ｍの延在方向と同じ方向（図７では−Ｘ方向）に下端部４ｐから延びる回動停止部４Ｈを有する。
【００５５】
回動停止部４Ｈは、モニタ４が立ち上がり完了状態にあるときに、スライダ３の上面（＋Ｚ側面）と接触し、第１軸Ａ１の回りにおけるモニタ４の回動を停止させるように構成されている。
【００５６】
スライダ３は、往復動端の前端に位置するときに回動停止部４Ｈと接触して第１軸Ａ１の回りにおけるモニタ４の回動を停止させるように構成されている。
【００５７】
この構成により、ディスプレイ装置１００は、立ち上がり完了状態にあるモニタ４の遠位端部４ｄの揺動を抑えることができる。
【００５８】
例えば、モニタ４の遠位端部４ｄが、矢印ＡＲ１０で示すように、後方（−Ｘ方向）に移動しようとすると、モニタアーム４Ｍは、矢印ＡＲ１１で示すように、第１軸Ａ１の回りで回動しようとする。しかしながら、回動停止部４Ｈがスライダ３の上面と接しているため、モニタアーム４Ｍが回動することはない。したがって、遠位端部４ｄの後方への移動は抑制され或いは防止される。
【００５９】
このように、ディスプレイ装置１００は、スライダ３が前端に位置するときに、回動停止部４Ｈがスライダ３の上面と接するように構成することで、遠位端部４ｄの揺動を抑制し或いは防止できる。
【００６０】
次に、図８を参照し、モニタ４が立ち上がり完了状態にあるときのモニタ４の揺動を抑制するストッパ部材８Ｓについて説明する。図８は、モニタ４が立ち上がり完了状態にあるときの案内部材８と第２リンク部材６の斜視図である。
【００６１】
ストッパ部材８Ｓは、モニタ４が立ち上がり完了状態にあるときの第２リンク部材６と接触して第２リンク部材６の前方（＋Ｘ方向）への移動を停止させる。本実施例では、ストッパ部材８Ｓは、案内部材８の一部として形成されている。但し、ストッパ部材８Ｓは、フレーム１に取り付けられた別個独立の部材であってもよい。本実施例では、ストッパ部材８Ｓは、右第２リンク部材６Ｒと接触する右ストッパ部材８ＳＲと、左第２リンク部材６Ｌと接触する左ストッパ部材８ＳＬ（図３参照。）とを含む。図８は、右第２リンク部材６Ｒと接触する右ストッパ部材８ＳＲを代表的に示しているが、以下の説明は、左ストッパ部材８ＳＬについても同様に適用される。但し、右ストッパ部材８ＳＲ及び左ストッパ部材８ＳＬの一方は省略されてもよい。
【００６２】
図８に示すように、右ストッパ部材８ＳＲは、右案内部材８Ｒの左側（＋Ｙ側）の側面から左方（＋Ｙ方向）に突出する。右ストッパ部材８ＳＲは、第１方向（Ｘ軸方向）に対して傾斜する第１傾斜面ＳＰ１を有する。図８の例では、右ストッパ部材８ＳＲは、斜め下後方を向く第１傾斜面ＳＰ１を有する。第１方向に対する第１傾斜面ＳＰ１の傾斜角は、例えば、４５度である。但し、他の角度であってもよい。
【００６３】
右第２リンク部材６Ｒは、右ストッパ部材８ＳＲと接触する突起６ＳＲを有する。図８の例では、右第２リンク部材６Ｒはその下面（−Ｚ側面）に楔状の突起６ＳＲを有する。突起６ＳＲは、第１傾斜面ＳＰ１に対応する第２傾斜面ＳＰ２を有する。すなわち、第２傾斜面ＳＰ２は、斜め上前方を向くように形成されている。但し、突起６ＳＲは、右第２リンク部材６Ｒの他の部分に形成されていてもよい。例えば、突起６ＳＲは、右第２リンク部材６Ｒの左側面（＋Ｙ側面）に形成されていてもよく、右側面（−Ｙ側面）に形成されていてもよい。
【００６４】
第１傾斜面ＳＰ１には、図３で最も分かり易く示すように、弾性部材８Ｅが取り付けられている。第２リンク部材６とストッパ部材８Ｓとの接触が弾性的に行われるようにするためである。本実施例では、弾性部材８Ｅは、左ストッパ部材８ＳＬに取り付けられる左弾性部材８ＥＬと、右ストッパ部材８ＳＲに取り付けられる右弾性部材８ＥＲとを含む。左弾性部材８ＥＬは、図３に示すように、左ストッパ部材８ＳＬにネジ止めされている。右弾性部材８ＥＲについても同様である。但し、弾性部材８Ｅは、第１傾斜面ＳＰ１に貼り付けられていてもよい。或いは、弾性部材８Ｅは、第２リンク部材６の突起６Ｓにネジ止めされていてもよく、突起６Ｓに貼り付けられていてもよい。
【００６５】
次に、図９を参照し、モニタ４が立ち上がり完了状態にあるときにモニタ４に作用する第１軸Ａ１の回りの力のモーメント（トルク）について説明する。図９は、モニタが立ち上がり完了状態にあるときのディスプレイ装置１００の側面図である。図９は、明瞭化のため、フレーム１、右ガイド部材２Ｒ、スライダ３、モニタ４、右第１リンク部材５Ｒ、右第２リンク部材６Ｒ及び右案内部材８Ｒ以外の構成要素の図示を省略している。具体的には、図９（Ａ）は、スライダ３を前方（＋Ｘ方向）に移動させようとする力Ｆ１を示す。図９（Ｂ）は、明瞭化のため、右ガイド部材２Ｒ及びスライダ３の図示を更に省略している。図９（Ｂ）は、右第２リンク部材６Ｒを下方（−Ｚ方向）に移動させようとする反力Ｆ２、右第２リンク部材６Ｒを右第４軸Ａ４Ｒの回りで回動させようとするトルクＴＲ１、及び、モニタ４を第１軸Ａ１の回りで回動させようとするトルクＴＲ２を示す。
【００６６】
図９（Ａ）に示すように、スライダ駆動機構９（図１及び図２参照。）によって移動させられるスライダ３が往復動端のうちの前端（＋Ｘ側端）に至ると、スライダ３は、ガイド部材２の前端のところにある弾性部材２Ｅと接触する。本実施例では、弾性部材２Ｅは、ゴム製のブッシュである。コイルバネであってもよい。弾性部材２Ｅは、スライダ３が前方に付勢された状態でスライダ３を停止させることができる。すなわち、モニタ４が立ち上がり完了状態にあるときに、スライダ３は、前向きの力Ｆ１を受けた状態にある。
【００６７】
このとき、スライダ３と共に前方に移動する右第２リンク部材６Ｒは、図９（Ｂ）に示すように、突起６ＳＲのところで右ストッパ部材８ＳＲと接触する。右ストッパ部材８ＳＲの第１傾斜面は、斜め下後方を向いているため、右第２リンク部材６Ｒは、突起６ＳＲの第２傾斜面で下向きの反力Ｆ２を受ける。反力Ｆ２は、力Ｆ１に対応する反力の鉛直成分である。そのため、右第２リンク部材６Ｒは、右第４軸Ａ４Ｒの回りにおける時計回り方向のトルクＴＲ１を受ける。すなわち、右ストッパ部材８ＳＲは、右第２リンク部材６Ｒと接触し、スライダ３を第１方向（Ｘ軸方向）に移動させようとする力Ｆ１を、右第４軸Ａ４Ｒの回りで右第２リンク部材６Ｒを時計回りに回動させようとするトルクＴＲ１に変換する。そして、トルクＴＲ１は、第１軸Ａ１の回りでモニタ４を立ち上がり方向（反時計回り）に回動させようとするトルクＴＲ２をもたらす。
【００６８】
このように、右ストッパ部材８ＳＲは、右第２リンク部材６Ｒを＋Ｘ方向に移動させようとする力Ｆ１を、右第４軸Ａ４Ｒの回りで右第２リンク部材６Ｒを回動させようとするトルクＴＲ１に変換する。そして、トルクＴＲ１は、第１軸Ａ１の回りでモニタ４を立ち上がり方向に回動させようとするトルクＴＲ２をもたらす。左ストッパ部材８ＳＬについても同様である。
【００６９】
次に、図１０を参照し、モニタ４が立ち上がり完了状態にあるときに第１軸Ａ１の回りでモニタ４を立ち上がり方向に更に回動させようとするトルクＴＲ２をもたらす構造の別の構成例について説明する。図１０は、モニタ４が立ち上がり完了状態にあるときのディスプレイ装置１００の側面図であり、図９（Ｂ）に対応する。
【００７０】
図１０の右案内部材８Ｒは、右第１リンク部材５Ｒと接触する右ストッパ部材８ＳＲを有する点で、右第２リンク部材６Ｒと接触する右ストッパ部材８ＳＲを有する図９の右案内部材８Ｒと異なる。また、図１０の右第１リンク部材５Ｒは、突起５ＳＲを有する点で図９の右第１リンク部材５Ｒと異なる。また、図１０の右第２リンク部材６Ｒは、突起６ＳＲを有しない点で図９の右第２リンク部材６Ｒと異なる。図１０の例では、右ストッパ部材８ＳＲは、斜め下後方を向く第１傾斜面を有し、右第１リンク部材５Ｒの突起５ＳＲは、第１傾斜面に対応する第２傾斜面を有する。なお、右第２リンク部材６Ｒは、突起５ＳＲと接触しないように適切に構成されている。
【００７１】
図１０に示すように、右第１リンク部材５Ｒは、突起５ＳＲのところで右ストッパ部材８ＳＲと接触する。右ストッパ部材８ＳＲの第１傾斜面は、斜め下後方を向いているため、右第１リンク部材５Ｒは、突起５ＳＲの第２傾斜面で下向きの反力Ｆ３を受ける。そのため、右第１リンク部材５Ｒは、第２軸Ａ２の回りにおける時計回り方向のトルクＴＲ３を受ける。すなわち、右ストッパ部材８ＳＲは、右第１リンク部材５Ｒと接触し、スライダ３を第１方向（Ｘ軸方向）に移動させようとする力Ｆ１を、第２軸Ａ２の回りで右第１リンク部材５Ｒを時計回りに回動させようとするトルクＴＲ３に変換する。
【００７２】
そして、トルクＴＲ３は、右第４軸Ａ４Ｒにおいて右第２リンク部材６Ｒを後方に移動させようとする力Ｆ４をもたらし、力Ｆ４は、右第３軸Ａ３Ｒにおいてモニタ４を後方に移動させようとする力Ｆ５をもたらす。そして、力Ｆ５は、第１軸Ａ１の回りでモニタ４を立ち上がり方向（反時計回り）に回動させようとするトルクＴＲ２をもたらす。
【００７３】
このように、図１０の右ストッパ部材８ＳＲは、右第１リンク部材５Ｒを＋Ｘ方向に移動させようとする力Ｆ１を、第２軸Ａ２の回りで右第１リンク部材５Ｒを回動させようとするトルクＴＲ３に変換する。そして、トルクＴＲ３は、力Ｆ４及び力Ｆ５を経て、第１軸Ａ１の回りでモニタ４を立ち上がり方向に回動させようとするトルクＴＲ２をもたらす。左第１リンク部材５Ｌと接触する左ストッパ部材８ＳＬについても同様である。
【００７４】
以上の構成により、ディスプレイ装置１００は、モニタ４が立ち上がり完了状態にある場合には、モニタ４を前方に回動させようとするトルクが生じたときであっても、モニタ４を立ち上がり方向に回動させようとするトルクＴＲ２でそのトルクを相殺できる。そのため、ディスプレイ装置１００は、立ち上がり完了状態にあるモニタ４のガタつきを抑制し或いは防止してモニタ４をより安定的に保持できる。また、各軸のガタつきを抑制し或いは防止できる。
【００７５】
上述の通り、ディスプレイ装置１００は、フレーム１と、フレーム１に固定されたガイド部材２と、第１方向（Ｘ軸方向）に延びるガイド部材２に沿って往復動可能なスライダ３と、第１軸Ａ１の回りで回動可能にスライダ３に取り付けられるモニタ４と、第２軸Ａ２の回りで回動可能にスライダ３に取り付けられる第１リンク部材５と、第３軸Ａ３の回りで回動可能に前記モニタ４に取り付けられる第２リンク部材６と、第４軸Ａ４を構成する軸部材７と、フレーム１に固定され且つ軸部材７の動きを案内する案内部材８と、フレーム１又は案内部材８に取り付けられたストッパ部材８Ｓとを有する。第１リンク部材５と第２リンク部材６は、第４軸Ａ４の回りで互いに回動可能に連結されている。第１軸Ａ１、第２軸Ａ２、第３軸Ａ３及び第４軸Ａ４は何れも第１方向（Ｘ軸方向）に垂直な第２方向（Ｙ軸方向）に延び且つ互いに平行である。そして、ストッパ部材８Ｓは、例えば、スライダ３が往復動端のうちの前端に位置するとき、すなわち、モニタ４が立ち上がり完了状態にあるときに、第１リンク部材５及び第２リンク部材６の少なくとも一方と接触するように構成されている。また、スライダ３を前方に移動させようとする力を、第１軸Ａ１の回りでモニタ４を立ち上がり方向に回動させようとするトルクＴＲ２に変換するように構成されている。この構成により、ディスプレイ装置１００は、立ち上がり完了状態にあるモニタ４のガタつきを抑制し或いは防止してモニタ４をより安定的に保持できる。また、各軸のガタつきを抑制し或いは防止できる。例えば、案内部材８のカム溝８Ｇと軸部材７との間のクリアランスに起因する軸部材７（第４軸Ａ４）のガタつき、スライダ３と第１軸Ａ１及び第２軸Ａ２のそれぞれとの間のクリアランスに起因する第１軸Ａ１及び第２軸Ａ２のガタつき等を抑制し或いは防止できる。
【００７６】
ストッパ部材８Ｓは、図９（Ｂ）に示すように、第２リンク部材６と接触し、スライダ３を前方に移動させようとする力Ｆ１を、第４軸Ａ４の回りで第２リンク部材６を回動させようとするトルクＴＲ１に変換するように構成されていてもよい。トルクＴＲ１によってトルクＴＲ２がもたらされるようにするためである。トルクＴＲ２は、第１軸Ａ１の回りでモニタ４を立ち上がり方向に回動させようとするトルクである。この場合、ストッパ部材８Ｓは、Ｘ軸方向に対して傾斜する第１傾斜面ＳＰ１を有していてもよい。また、第２リンク部材６は、第１傾斜面ＳＰ１に対応する第２傾斜面ＳＰ２を有していてもよい。
【００７７】
或いは、ストッパ部材８Ｓは、図１０に示すように、第１リンク部材５と接触し、スライダ３を前方に移動させようとする力を、第２軸Ａ２の回りで第１リンク部材５を回動させようとするトルクＴＲ３に変換するように構成されてもよい。トルクＴＲ３によって、力Ｆ４がもたらされ、更に、トルクＴＲ２がもたらされるようにするためである。力Ｆ４は第２リンク部材６を後方に移動させようとする力であり、トルクＴＲ２は第１軸Ａ１の回りでモニタ４を立ち上がり方向に回動させようとするトルクである。この場合、ストッパ部材８Ｓは、Ｘ軸方向に対して傾斜する第１傾斜面を有していてもよい。また、第１リンク部材５は、第１傾斜面に対応する第２傾斜面を有していてもよい。
【００７８】
以上の構成により、ディスプレイ装置１００は、立ち上がった状態にあるモニタ４のガタつきを抑制し或いは防止してモニタ４をより安定的に保持できる。また、各軸のガタつきを抑制し或いは防止できる。
【００７９】
また、モニタ４が横伏状態のときに、第４軸Ａ４が第２軸Ａ２と第３軸Ａ３を含む平面Ｐ１上に位置するように構成されていてもよい。
【００８０】
この構成により、ディスプレイ装置１００は、横伏状態にあるモニタ４をより安定的に保持できる。すなわち、ディスプレイ装置１００は、横伏状態にあるモニタ４の下にスポンジ等の緩衝材を配置することなく、収納完了状態又は並進状態にあるモニタ４の安定性を向上させることができる。各軸の適切な配置によって収納完了状態又は並進状態にあるモニタ４の遠位端部４ｄの揺動を防止できるためである。緩衝材を用いることがないため、モニタ４の表示面に傷を付けてしまうこともない。また、緩衝材等を配置するスペースの確保のために設計自由度が制限されてしまうこともない。
【００８１】
また、上述の構成では、モニタアーム４Ｍ（図５参照。）が比較的短いため、モニタ４が揺動するときにモニタアーム４Ｍの遠位端が第２リンク部材６に及ぼす力は、モニタ４の遠位端部４ｄに作用する力に比べて大きい。このような場合であっても、ディスプレイ装置１００は、モニタ４が横伏状態にあるときに第４軸Ａ４を平面Ｐ１上に位置付けることによって、モニタ４の遠位端部４ｄの揺動を防止できる。そのため、ディスプレイ装置１００は、薄型構造を維持しながらも、横伏状態のモニタ４を安定的に保持できる。
【００８２】
また、軸部材７としてのカムフォロアの動きは、案内部材８としての溝カムにおけるカム溝８Ｇによって制限される。そのため、スライダ３が往復動する際の第４軸Ａ４の移動経路は、カム溝８Ｇの形状に応じて決まる。そして、モニタアーム４Ｍと第２リンク部材６との連結点を通る第３軸Ａ３の移動経路は、第４軸Ａ４の移動経路に応じて決まる。モニタアーム４Ｍは、スライダ３に関して変位しない第１軸Ａ１の回りを回動し、第２リンク部材６は、第４軸Ａ４の回りを回動するためである。そして、モニタ４及びモニタアーム４Ｍの回動速度、回動開始時期、回動終了時期等は、第３軸Ａ３の動きに応じて決まる。すなわち、モニタ４の回動は、単純で且つ信頼性の高いモニタ回動機構によって実現される。モニタ回動機構は、主に、第１リンク部材５、第２リンク部材６及び案内部材８によって構成される機構である。そのため、ディスプレイ装置１００は、スライダ３の往復動に応じて円滑にモニタ４を回動させることができる。また、モニタ４が収納完了状態、並進状態、回動状態、及び立ち上がり完了状態にあるときのモニタ回動機構の剛性を比較的容易に確保できる。また、比較的短いモニタアーム４Ｍによるモニタ４の円滑な回動を実現できる。
【００８３】
また、モニタ４は、スライダ３が往復動端のうちの前端（＋Ｘ側端）に位置するときに立ち上がり完了状態になる。このとき、ディスプレイ装置１００は、第１軸Ａ１と第４軸Ａ４を含む平面Ｐ２よりもモニタ４の遠位端部４ｄに近いところに第３軸Ａ３が位置するように構成されている。すなわち、第３軸Ａ３が平面Ｐ２よりも上方（＋Ｚ方向）に位置するように構成されている。この構成により、ディスプレイ装置１００は、立ち上がり完了状態にあるモニタ４が前方に傾くのを抑制し或いは防止できる。図６を参照して説明したように、第４軸Ａ４が第１軸Ａ１に近づくのを防止できるためである。そのため、ディスプレイ装置１００は、モニタ４が立ち上がり完了状態になった後もモニタ４の揺動を抑制し或いは防止できる。
【００８４】
また、軸部材７としてのカムフォロアは、望ましくは、スライダ３が往復動端のうちの前端（＋Ｘ側端）に位置するとき、すなわち、モニタ４が立ち上がり完了状態にあるときに、案内部材８の案内端であるカム溝８Ｇの前端（＋Ｘ側端）に位置する。そのため、図６を参照して説明したように、第４軸Ａ４が第１軸Ａ１に近づくのをより確実に防止できる。
【００８５】
また、モニタ４は、回動停止部４Ｈを有していてもよい。この場合、スライダ３は、往復動端の前端（＋Ｘ側端）に位置するとき、すなわちモニタ４が立ち上がり完了状態にあるときに、回動停止部４Ｈと接触して第１軸Ａ１の回りにおけるモニタ４の回動を停止させる。この構成により、ディスプレイ装置１００は、立ち上がり完了状態にあるモニタ４が後方に傾くのを抑制し或いは防止できる。図７を参照して説明したように、モニタアーム４Ｍが第１軸Ａ１の回りで回動するのを防止できるためである。そのため、ディスプレイ装置１００は、モニタ４が立ち上がり完了状態になった後もモニタ４の揺動を抑制し或いは防止できる。
【００８６】
以上、本発明の好ましい実施形態について詳説した。しかしながら、本発明は、上述した実施形態に制限されることはない。上述した実施形態は、本発明の範囲を逸脱することなしに、種々の変形、置換等が適用され得る。
【００８７】
例えば、上述の実施形態では、ディスプレイ装置１００は、左第１リンク部材５Ｌ、左第２リンク部材６Ｌ及び左案内部材８Ｌで構成される左側モニタ回動機構をモニタ４の左側に備え、右第１リンク部材５Ｒ、右第２リンク部材６Ｒ及び右案内部材８Ｒで構成される右側モニタ回動機構をモニタ４の右側に備えている。しかしながら、本発明はこの構成に限定されるものではない。例えば、ディスプレイ装置１００は、右側モニタ回動機構のみを備えていてもよく、左側モニタ回動機構のみを備えていてもよい。また、単一のモニタ回動機構がモニタ４の下端部４ｐの中央に取り付けられていてもよい。また、３つ以上のモニタ回動機構が用いられてもよい。
【００８８】
また、上述の実施例では、第２リンク部材６は、ストッパ部材８Ｓと接触する突起６Ｓを有する。しかしながら、本発明はこの構成に限定されるものではない。例えば、第２リンク部材６は、ストッパ部材８Ｓの第１傾斜面に対応する第２傾斜面を形成する凹部を有していてもよい。
【符号の説明】
【００８９】
１・・・フレーム  １Ｂ・・・底面板  １Ｆ・・・前面板  １Ｒ・・・背面板  ２・・・ガイド部材  ３・・・スライダ  ４・・・モニタ  ４Ｍ・・・モニタアーム  ４ｄ・・・遠位端部  ４ｐ・・・下端部  ５・・・第１リンク部材  ６・・・第２リンク部材  ７・・・軸部材  ８・・・案内部材  ８Ｇ・・・カム溝  ８Ｓ・・・ストッパ部材  ９・・・スライダ駆動機構  ９ａ・・・電動モータ  ９ｂ・・・ギア  ９ｃ・・・レバー  １００・・・ディスプレイ装置  Ａ１・・・第１軸  Ａ２・・・第２軸  Ａ３・・・第３軸  Ａ４・・・第４軸
【図１】
2018132702.tif 000003
【図２】
2018132702.tif 000004
【図３】
2018132702.tif 000005
【図４】
2018132702.tif 000006
【図５】
2018132702.tif 000007
【図６】
2018132702.tif 000008
【図７】
2018132702.tif 000009
【図８】
2018132702.tif 000010
【図９】
2018132702.tif 000011
【図１０】
2018132702.tif 000012